(57)【要約】【課題】  製作コストを抑えて安価にできるとともに、粘着ラベルを容易に剥離することができ、後処理としての分別作業も効率よく行える台紙なしロールラベルを提供すること。【解決手段】  帯状のラベル本体が予め所定長さの位置で一枚のラベルに切断可能なようにロール状に巻回されてなる台紙なしロールラベルであり、ラベル本体３の切断位置となる裏面に、非粘着剤層６がラベル本体の長さ方向両縁部間にわたり設けられ、該非粘着剤層以外の裏面に粘着剤層７が部分的に設けられている。粘着剤層７の一例としては所定パターンで形成された糊７ａが挙げられる。【選択図】      図２
2011007890.tif 000002
【特許請求の範囲】
【請求項１】
帯状のラベル本体が予め所定長さの位置で一枚のラベルに切断可能なようにロール状に巻回されてなる台紙なしロールラベルにおいて、
前記ラベル本体の切断位置となる裏面に、非粘着剤層がラベル本体の長さ方向両縁部間にわたり設けられ、該非粘着剤層以外の裏面に粘着剤層が部分的に設けられていることを特徴とする台紙なしロールラベル。
【請求項２】
粘着剤層が、所定のパターンにより設けられている請求項１に記載の台紙なしロールラベル。
【請求項３】
所定のパターンは、凸版の網点、凹版グラビアメッシュ又は斜線を利用して設けられている請求項１又は２に記載の台紙なしロールラベル。
【請求項４】
非粘着剤層と連接するラベル本体の裏面の長さ方向両縁部に、第２の非粘着剤層が設けられている請求項１ないし３のいずれかに記載の台紙なしロールラベル。
【発明の詳細な説明】
【技術分野】
【０００１】
この発明は、自動ラベル貼付機やプリンタ等に好適に用いられ、台紙（剥離紙、セパレータ）がなく、裏面の粘着剤が表面に粘着するようにロール状に巻回されて使用に供される台紙なしロールラベルに関するものである。
【背景技術】
【０００２】
従来、台紙なしロールラベルは、裏面の粘着剤が全面にわたり設けられるので、ラベルを製品等に貼り付ける際に一枚ずつ切断する時に粘着剤が切断刃に付着して切断の支障になり、切断がしにくいものであった。そのため、例えば切断刃を粘着剤が付着しにくい材質、例えばシリコン、テフロン（登録商標）などを塗布した金属を使用したものに替えたりする必要もあるが、その場合には高価なものになってしまう。また、粘着剤が付着するので、作業中に切断刃の掃除が必要となる等、作業性も悪かった。
【０００３】
そこで、前記のような問題を解決すべく、例えば特許文献１のような台紙なし感圧性ラベル連続体が提案されている。このラベル連続体５１は、図７（Ａ）にその断面図、同（Ｂ）に（Ａ）の裏面図を示すように、帯状のラベル基材５２の裏面に全面塗布の感圧性粘着剤層５３が設けられ、この表面の長手方向の両縁部に非粘着層５４，５４が設けられ、さらに非粘着層５４，５４間の幅方向に非粘着層５４ｂが印刷されてなるものである。そして、このようなラベル連続体５１によれば、非粘着層５４ｂがあるため、ラベル切断時に粘着剤が切断刃に付着せず、適正な切断ができる（同文献１の段落００１２参照）とされる。なお、５５はラベル基材５２の表面に塗布された剥離剤である。
【０００４】
しかしながら、前記特許文献１の非粘着層５４ｂは、非粘着層５４，５４とともに、あくまでもラベル基材５２の裏面に全面塗布された感圧性粘着剤層５３の上に印刷されるものである。そのためにラベル基材５２の裏面に対して粘着剤層５３の塗布のほかに、非粘着層５４ｂ及び非粘着層５４，５４の印刷という工程を余分に必要とし、製作コストがかかり、台紙なし感圧性ラベル連続体５１としては依然として高価なものとなるという問題があり、完全解決とは言えないものであった。
【０００５】
一方、前記のような台紙なし感圧性ラベル連続体５１には次のような問題もあった。すなわち、台紙なし感圧性ラベル連続体５１から切断して得られるラベルを用いた製品、例えばハム等の食品を購入した者にとっては該食品を消費した後の処理として平成７年に制定されたいわゆる「容器包装リサイクル法」に基づいて分別収集するために適正に廃棄物を処理することが要請されており、そのために該ラベルが接着された食品の包装袋を、ラベルをうまく剥がして効率よく分別して廃棄する必要がある。家庭から出るゴミの約６０％は容器包装廃棄物（ガラス、プラスチック、金属、紙等からなる）であると言われており、これら容器包装廃棄物の減量化と再資源化を促進するために前記のような要請がされているのである。
【０００６】
しかしながら、前記ラベルは前記のように裏面全面にわたり食品の包装袋又は容器の表面に粘着されているため剥がすのが大変で分別に時間がかかり、容易でなかった。また、剥がすのが困難な場合は、一部にラベルを残してまま廃棄せざるを得ないという問題があった。
【発明の概要】
【発明が解決しようとする課題】
【０００７】
そこでこの発明は、前記のような従来の問題点を解決して、製作コストを抑えて安価にできるとともに、粘着ラベルを容易に剥離することができ、後処理としての分別作業も効率よく行える台紙なしロールラベルを提供することを目的とする。
【課題を解決するための手段】
【０００８】
前記課題を解決するために、請求項１に記載の発明は、帯状のラベル本体が予め所定長さの位置で一枚のラベルに切断可能なようにロール状に巻回されてなる台紙なしロールラベルにおいて、前記ラベル本体の切断位置となる裏面に、非粘着剤層がラベル本体の長さ方向両縁部間にわたり設けられ、該非粘着剤層以外の裏面に粘着剤層が部分的に設けられていることを特徴とする。
【０００９】
請求項２に記載の発明は、請求項１において、粘着剤層が、所定のパターンにより設けられていることを特徴とする。請求項３に記載の発明は、請求項１又は２において、所定のパターンは、凸版の網点、凹版グラビアメッシュ又は斜線を利用して設けられていることを特徴とする。請求項４に記載の発明は、請求項１ないし３のいずれかにおいて、非粘着剤層と連接するラベル本体の裏面の長さ方向両縁部に、第２の非粘着剤層が設けられていることを特徴とする。
【発明の効果】
【００１０】
この発明は、前記のようであって、請求項１ないし３に記載の発明によれば、ラベル本体の切断位置となる裏面に、非粘着剤層がラベル本体の長さ方向両縁部間にわたり設けられ、該非粘着剤層以外の裏面に粘着剤層が部分的に設けられているので、従来のように全面粘着剤層の上に非粘着剤層を印刷して設けるような必要がなく、製作コストを抑えることができる。したがって、安価な製品を提供することができる。また、従来困難であった粘着ラベルの剥離も容易に行うことができ、後処理としての分別作業も効率よく行える。請求項４に記載の発明によれば、第２の非粘着剤層が設けられているので、スリッタにより切断してロールラベルを得る際に、ラベル本体の裏面の両縁部に埃等が付着するのを防止することができる。
【図面の簡単な説明】
【００１１】
【図１】この発明の一実施の形態を示す、台紙なしロールラベルの概略図である。
【図２】同上の帯状のラベル本体の一部を示し、（Ａ）はその表面図、（Ｂ）は裏面図、（Ｃ）は（Ｂ）の線Ｃ−Ｃに沿う拡大断面図である。
【図３】パターン例を示す、図２（Ｂ）のIII部拡大図である。
【図４】パターンの変形例を示す、図３の対応図である。
【図５】さらに別のパターンの変形例を示す、図３の対応図である。
【図６】別の実施の形態を示す、図２（Ｂ）の対応図である。
【図７】従来例のラベル連続体を示し、（Ａ）はその断面図、（Ｂ）は裏面図である。
【発明を実施するための形態】
【００１２】
以下、図面を参照しながら、この発明の一実施の形態に係る台紙なしロールラベルについて説明する。
【００１３】
図１において１は台紙なしロールラベルを示し、このロールラベル１は巻芯２に細長い帯状のラベル本体３を多数回巻き付けてロール状となっている。ラベル本体３は、サーマル紙（感熱紙）、耐水紙、合成紙などの紙や樹脂フィルムからなり、図２（Ａ）に示すように表面には当該ラベルが貼り付けられるハム等の食品など製品の名称、原材料名、内容量、賞味期限、保存方法、製造者等を記載した欄４やバーコード５等の表示区画が、等間隔でその長さ方向に印刷され、その印刷された表示区画毎に後記のように切断が可能となっている。この切断される部分がいわゆるラベルとして製品に貼り付けられることになる。このようにロールラベル１として巻回されたラベル本体３は、前記表示区画毎に、例えば図２において点線で示す位置で切断され、それが一枚のラベルとされる。
【００１４】
また、図２（Ｂ），（Ｃ）に示すようにラベル本体３は、切断位置となる裏面には長さ方向に所定幅（５〜６mm程度）の非粘着剤層６がラベル本体３の長さ方向両縁部間にわたり設けられ、該非粘着剤層以外の裏面には粘着剤層７が部分的に設けられている。すなわち、粘着剤層７は、図３から明らかなように部分的な接着を可能とするように凹版グラビアメッシュにより所定のパターンで設けられている。この例では周囲が空間（凹部）となるように縦横に等間隔で設けられた方形状の糊７ａ（凸部）が多数斜めに傾いて全面配置された形になっており、前記凹部が糊殺し部分の役割を果たす。なお、粘着剤層７としての糊７ａの例としては、エマルジョン粘着剤を挙げることができる。エマルジョン粘着剤以外ではホットメルト粘着剤でも可能である。
【００１５】
非粘着剤層６の幅のセンターにはミシン目状の点線が表示されている。これは粘着剤層７を設けるときに目安とするものであるとともに、切断位置をも示すものであり、薄いラベル本体３を通して表面側にも浮き出ている。そして、このミシン目状の点線で区画された部分が前記表示区画とされ、切断後に製品に貼り付けられるラベルとなる。
【００１６】
前記のようなロールラベル１は例えば、次のようにして製作される。すなわち、方形状を呈した大きな紙の表面に前記したような記載欄４やバーコード５等を印刷し、印刷が終了した後、あるいはそれとほぼ同時に裏面に非粘着剤層６を設けて粘着剤層７である糊７ａを引いて付着する。そして、巻回始端部の裏面を巻芯２に固定した上で順次巻回していくと、裏面の粘着剤層７の糊７ａが表面に部分的に接着して重ねられ巻かれていく。そして、巻き終えたら巻芯２の芯軸方向に所定幅でスリッタにより切断する。これにより図１に示すようなロールラベル１が製作される。
【００１７】
前記のように構成されたロールラベル１の使用例について以下に説明する。使用に際しては、ロールラベル１をその巻芯２を利用して図示しない自動ラベル貼付機に装着する。そして、その先端側からラベル本体３を繰り出すと、ラベル本体３は巻き解かれていき自動ラベル貼付機によって送られる過程で、ミシン目状の点線で示す位置でカッタ等の切断刃で切断され、別途送られてくる製品表面の所定位置に粘着剤層７の糊７ａのある裏面側が貼り付けられることになる。この切断の際にラベル本体３は粘着剤層７のない、非粘着剤層６の部分で切断されるため、従来のように切断刃に粘着剤が付着して切断を妨げたり、切断刃を高価な材質にするような必要がなく、きわめてスムーズで、良好な切断を可能とする。
【００１８】
一方、後処理として、分別収集のため前記粘着されたラベルを剥がすときは、ラベル本体３の隅部等を指先で摘んで引き剥がすようにする。すると、ラベル本体３は粘着剤層７の部分的にしか設けられていない糊７ａのみで製品表面と接着しているだけであるから容易に剥がすことができる。従来のものは全面で接着されていたため、剥がすことが困難であったが、このロールラベル１のラベルであれば難なく剥がすことができる。したがって、製品を容器包装リサイクル法に基づいてガラスとプラスチック、あるいは金属等に分別する場合でもラベルと製品とは容易に剥がれるため、分別作業も効率的に行える。
【００１９】
図４は、図３に示す前記パターンとは別のパターンの例を示すもので、このパターンは凸版の網点により粘着剤層７’を、部分的な接着を可能とするように設けている。７ｂは糊（凸部）であり、方形状の空間（凹部）を形成して設けられている。このようなパターンによる場合でも粘着剤層７’が部分的に粘着する構成として前記パターンと同様な作用効果を奏する。
【００２０】
図５は、さらに別のパターンの例を示すもので、このパターンは多数の平行な斜線により粘着剤層７”を、部分的な接着を可能とするように設けている。７ｃは糊（凸部）であり、隣接する糊７ｃ間の間隔が空間（凹部）となっている。このようなパターンによる場合でも粘着剤層７”が部分的に粘着する構成として前記パターンと同様な作用効果を奏する。なお、斜線により形成される糊７ｃはこの例では凸部としているが、凹部としてもよい。
【００２１】
図６は、別の実施の形態を示す、ロールラベルである。このロールラベルは同図にラベル本体の裏面図を示すように、非粘着剤層１６と連接するラベル本体１３の裏面の長さ方向両縁部に、さらに非粘着剤層（第２の非粘着剤層）１８が設けられている。１７は粘着剤層である。このような非粘着剤層１８が設けられていると、スリッタにより切断してロールラベルを得るときに、埃等が付着するのを防止することができる。すなわち、従来においては芯軸方向に長く形成されたロールラベルを必要とする所定幅に応じてスリッタにより切断するときその切断位置にあるラベル本体の裏面に粘着剤があり、この粘着剤がラベル本体の長さ方向両縁部に現出することになるため、埃等が付着し易くなる。そのため、埃等が付着した場合には埃等を除去する等の清掃作業を必要としていた。しかも、スリッタによる切断時には粘着剤がスリッタに付着し、その清掃もしなければならない。しかしながら、この実施の形態のように予め切断する位置のラベル本体１３の裏面に粘着剤のない部分、つまり非粘着剤層１８を設けておくと、埃等が付着することがなくなり、その後の作業も効率よく行えるし、スリッタに粘着剤が付着することもなくなる。
【符号の説明】
【００２２】
１  台紙なしロールラベル
２  巻芯
３  ラベル本体
４  記載欄
５  バーコード
６  非粘着剤層
７，７’，７”  粘着剤層
７ａ，７ｂ，７ｃ  糊
１６  非粘着剤層
１８  非粘着剤層（第２の非粘着剤層）
【先行技術文献】
【特許文献】
【００２３】
【特許文献１】特開平９−１０６２５０号公報
【図１】
2011007890.tif 000003
【図２】
2011007890.tif 000004
【図３】
2011007890.tif 000005
【図４】
2011007890.tif 000006
【図５】
2011007890.tif 000007
【図６】
2011007890.tif 000008
【図７】
2011007890.tif 000009
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
帯状のラベル本体が予め所定長さの位置で一枚のラベルに切断可能なようにロール状に巻回されてなる台紙なしロールラベルにおいて、
前記ラベル本体の切断位置となる裏面に、粘着剤層のない層状の空間からなる非粘着剤層がラベル本体の長さ方向に５〜６mmの幅でラベル本体の長さ方向両縁部間にわたり設けられ、該非粘着剤層以外の裏面に、粘着剤層が設けられ、前記粘着剤層は、糊が凸部、その周囲の空間が凹部となって部分的な接着を可能とするように多数の平行な斜線からなるパターンを用いた凸版又は凹版の印刷方法により設けられており、さらに該非粘着剤層の幅のセンターには粘着剤層を設けるときの目安となるとともに切断位置を示し、かつ被貼付製品の名称、原材料名等を記載した欄やバーコード等の表示区画を示す表示部が表面側にも浮き出るように設けられていることを特徴とする台紙なしロールラベル。
【請求項２】
前記非粘着剤層と連接するラベル本体の裏面の長さ方向両縁部に、粘着剤層のない層状の空間からなる第２の非粘着剤層が設けられている請求項１に記載の台紙なしロールラベル。
【手続補正２】
【補正対象書類名】明細書
【補正対象項目名】０００８
【補正方法】変更
【補正の内容】
【０００８】
前記課題を解決するために、請求項１に記載の発明は、帯状のラベル本体が予め所定長さの位置で一枚のラベルに切断可能なようにロール状に巻回されてなる台紙なしロールラベルにおいて、前記ラベル本体の切断位置となる裏面に、粘着剤層のない層状の空間からなる非粘着剤層がラベル本体の長さ方向に５〜６mmの幅でラベル本体の長さ方向両縁部間にわたり設けられ、該非粘着剤層以外の裏面に、粘着剤層が設けられ、前記粘着剤層は、糊が凸部、その周囲の空間が凹部となって部分的な接着を可能とするように多数の平行な斜線からなるパターンを用いた凸版又は凹版の印刷方法により設けられており、さらに該非粘着剤層の幅のセンターには粘着剤層を設けるときの目安となるとともに切断位置を示し、かつ被貼付製品の名称、原材料名等を記載した欄やバーコード等の表示区画を示す表示部が表面側にも浮き出るように設けられていることを特徴とする。
【手続補正３】
【補正対象書類名】明細書
【補正対象項目名】０００９
【補正方法】変更
【補正の内容】
【０００９】
請求項２に記載の発明は、請求項１において、前記非粘着剤層と連接するラベル本体の裏面の長さ方向両縁部に、粘着剤層のない層状の空間からなる第２の非粘着剤層が設けられていることを特徴とする。
【手続補正４】
【補正対象書類名】明細書
【補正対象項目名】００１０
【補正方法】変更
【補正の内容】
【００１０】
この発明は、前記のようであって、請求項１に記載の発明によれば、ラベル本体の切断位置となる裏面に、粘着剤層のない層状の空間からなる非粘着剤層がラベル本体の長さ方向に５〜６mmの幅でラベル本体の長さ方向両縁部間にわたり設けられ、該非粘着剤層以外の裏面に、粘着剤層が設けられ、前記粘着剤層は、糊が凸部、その周囲の空間が凹部となって部分的な接着を可能とするように多数の平行な斜線からなるパターンを用いた凸版又は凹版の印刷方法により設けられているので、従来のように全面粘着剤層の上に非粘着剤層を印刷して設けるような必要がなく、製作コストを抑えることができる。したがって、安価な製品を提供することができる。また、従来困難であった粘着ラベルの剥離も容易に行うことができ、後処理としての分別作業も効率よく行える。請求項２に記載の発明によれば、第２の非粘着剤層が設けられているので、スリッタにより切断してロールラベルを得る際に、ラベル本体の裏面の両縁部に埃等が付着するのを防止することができる。
【手続補正５】
【補正対象書類名】明細書
【補正対象項目名】００１４
【補正方法】変更
【補正の内容】
【００１４】
また、図２（Ｂ），（Ｃ）に示すようにラベル本体３は、切断位置となる裏面には長さ方向に所定幅（５〜６mm程度）の非粘着剤層６がラベル本体３の長さ方向両縁部間にわたり設けられ、該非粘着剤層以外の裏面には粘着剤層７が部分的に設けられている。すなわち、非粘着剤層６は、図２（Ｃ）から明らかなように粘着剤層７のない層状の空間から構成され、粘着剤層７は、図３から明らかなように部分的な接着を可能とするように凹版グラビアメッシュにより所定のパターンで設けられている。この例では周囲が空間（凹部）となるように縦横に等間隔で設けられた方形状の糊７ａ（凸部）が多数斜めに傾いて全面配置された形になっており、前記凹部が糊殺し部分の役割を果たす。なお、粘着剤層７としての糊７ａの例としては、エマルジョン粘着剤を挙げることができる。エマルジョン粘着剤以外ではホットメルト粘着剤でも可能である。